(57)【要約】【課題】「専用ＯＩ有り」の構成と「専用ＯＩ無し」の構成とを使用形態に応じて自由に選択できるようにする。【解決手段】コントローラ１にイーサネット（登録商標）インタフェース１１を設け、専用ＯＩ・２にイーサネットインタフェース２１を設ける。イーサネットインタフェース１１とイーサネットインタフェース２１との間をＴＣＰ／ＩＰプロトコルによる通信を可能とするケーブル（ＴＣＰ／ＩＰケーブル）によって着脱可能に接続する。【選択図】  図１
2019175082.tif 000002
【特許請求の範囲】
【請求項１】
単一の筐体内に入力装置とコントローラとが収められた制御装置において、
前記コントローラは、
第１のイーサネット（登録商標）インタフェースを備え、
前記入力装置は、
第２のイーサネットインタフェースを備え、
前記第１のイーサネットインタフェースと前記第２のイーサネットインタフェースとの間は、
ＴＣＰ／ＩＰプロトコルによる通信を可能とするケーブルによって着脱可能に接続されている
ことを特徴とする制御装置。
【請求項２】
請求項１に記載された制御装置において、
前記コントローラは、
第３のイーサネットインタフェースを備える
ことを特徴とする制御装置。
【請求項３】
請求項１に記載された制御装置において、
前記入力装置は、
第４のイーサネットインタフェースを備える
ことを特徴とする制御装置。
【発明の詳細な説明】
【技術分野】
【０００１】
本発明は、単一の筐体内に入力装置とコントローラとが収められた制御装置に関する。
【背景技術】
【０００２】
従来より、建物の設備監視など多種の目的のために、機器の状態の監視や制御を行うコントローラが用いられている。また、このコントローラに対して、オペレータによる設定情報の入力や動作指示を行うための入力装置として、オペレータインタフェース（ＯＩ）を併せて備える構成が広く用いられている（例えば、特許文献１参照）。
【０００３】
図６に、従来の制御装置１００（１００Ｘ）の概略を示す。この制御装置１００Ｘは、コントローラ１と専用オペレータインタフェース（以下、「専用ＯＩ」という。）とを備え、コントローラ１と専用ＯＩ２とは単一の筐体（制御盤）３内に収められている。この制御装置１００Ｘにおいて、コントローラ１と専用ＯＩ２との間は、専用の通信ケーブル４で接続されている。専用ＯＩ２は、コントローラ１に対する設定情報の入力や動作指示を可能とするコントローラ１専用の端末であり、コントローラ１に付属する入力装置として設けられている。
【０００４】
近年では、携帯可能なコンピュータ、タブレット端末等の普及に伴い、コントローラに対する設定情報の入力や動作指示などを専用ＯＩではなく、ネットワークを介してコントローラに接続した外部コンピュータ等から行う手法が広く用いられるようになってきた。
【０００５】
図７に、コントローラ１に、外部コンピュータとして遠隔監視装置３００をネットワーク２００を介して接続した例を示す。この例では、コントローラ１にイーサネット（登録商標）インタフェース１１を設け、このイーサネットインタフェース１１にネットワーク２００を介して遠隔監視装置３００を接続している。これにより、コントローラ１と遠隔監視装置３００との間は、ＴＣＰ／ＩＰプロトコルによる通信が行われる。
【先行技術文献】
【特許文献】
【０００６】
【特許文献１】特開平９−６０９５２号公報
【特許文献２】特開２００９−１１５３４４号公報
【発明の概要】
【発明が解決しようとする課題】
【０００７】
しかしながら、上述した従来の制御装置１００Ｘでは、コントローラ１と専用ＯＩ２との間が専用の通信ケーブル４で固定的に接続されているので、コントローラ１から専用ＯＩ２を切り離すことができない。
【０００８】
すなわち、図６に示した制御装置１００Ｘにおいて、コントローラ１と専用ＯＩ２とは一体不可分である。このため、図７に示したような例において、専用ＯＩ２を用いない使用形態とされるような場合、専用ＯＩ２が不要であるにも拘わらず、この不要な専用ＯＩ２が筐体３内に残され、コストを引き下げる際の障害となってしまう。
【０００９】
本発明は、このような課題を解決するためになされたもので、その目的とするところは、「専用ＯＩ有り」の構成と「専用ＯＩ無し」の構成とを使用形態に応じて自由に選択することが可能な制御装置を提供することにある。
【課題を解決するための手段】
【００１０】
このような目的を達成するために本発明は、単一の筐体（３）内に入力装置（２）とコントローラ（１）とが収められた制御装置（１００Ａ）において、コントローラ（１）は、第１のイーサネットインタフェース（１１）を備え、入力装置（２）は、第２のイーサネットインタフェース（２１）を備え、第１のイーサネットインタフェースと第２のイーサネットインタフェースとの間は、ＴＣＰ／ＩＰプロトコルによる通信を可能とするケーブル（５）によって着脱可能に接続されていることを特徴とする。
【００１１】
この発明において、コントローラと入力装置（専用ＯＩ）との間は、ＴＣＰ／ＩＰプロトコルによる通信を可能とするケーブル（以下、ＴＣＰ／ＩＰケーブルと呼ぶ。）によって着脱可能に接続されている。
【００１２】
本発明において、専用ＯＩが必要である場合には、コントローラと専用ＯＩとの間をＴＣＰ／ＩＰケーブルによって接続する。これにより、本発明の制御装置を、「専用ＯＩ有り」の構成とすることができる。
【００１３】
本発明において、専用ＯＩが不要である場合には、コントローラと専用ＯＩとの間をＴＣＰ／ＩＰケーブルを取り外すことによって、コントローラと専用ＯＩとの間の接続を切り離す。これにより、本発明の制御装置を、「専用ＯＩ無し」の構成とすることができる。この場合、コントローラに残されたイーサネットインタフェースは、外部コンピュータとの接続に利用することが可能である。
【００１４】
なお、上記説明では、一例として、発明の構成要素に対応する図面上の構成要素を、括弧を付した参照符号によって示している。
【発明の効果】
【００１５】
以上説明したように、本発明によれば、コントローラ（第１のイーサネットインタフェース）と専用ＯＩ（第２のイーサネットインタフェース）との間をＴＣＰ／ＩＰケーブルによって着脱可能に接続することによって、「専用ＯＩ有り」の構成と「専用ＯＩ無し」の構成とを使用形態に応じて自由に選択することが可能となる。
【図面の簡単な説明】
【００１６】
【図１】図１は、本発明の実施の形態１に係る制御装置の要部を示す図である。
【図２】図２は、実施の形態１の制御装置において専用ＯＩ無しの構成とし、ネットワークを介して遠隔監視装置をコントローラに接続するようにした例を示す図である。
【図３】図３は、本発明の実施の形態２に係る制御装置の要部を示す図である。
【図４】図４は、本発明の実施の形態３に係る制御装置の要部を示す図である。
【図５】図５は、実施の形態３の制御装置において専用ＯＩ無しの構成とし、ネットワークを介して遠隔監視装置およびクラウドコンピュータをコントローラに接続するようにした例を示す図である。
【図６】図６は、従来の制御装置の概略を示す図である。
【図７】図７は、従来の制御装置において、ネットワークを介して遠隔監視装置をコントローラに接続するようにした例を示す図である。
【発明を実施するための形態】
【００１７】
以下、本発明の実施の形態を図面に基づいて詳細に説明する。
【００１８】
〔実施の形態１〕
図１は本発明の実施の形態１に係る制御装置１００（１００Ａ）の要部を示す図である。同図において、図７と同一符号は図７を参照して説明した構成要素と同一或いは同等の構成要素を示し、その説明は省略する。
【００１９】
この制御装置１００Ａにおいて、コントローラ１は、イーサネットインタフェース１１を備え、専用ＯＩ２はイーサネットインタフェース２１を備えている。また、コントローラ１のイーサネットインタフェース１１と専用ＯＩ２のイーサネットインタフェース２１との間は、ＴＣＰ／ＩＰプロトコルによる通信を可能とするケーブル（ＴＣＰ／ＩＰケーブル）５によって着脱可能に接続されている。
【００２０】
この制御装置１００Ａにおいて、専用ＯＩ２が必要である場合には、コントローラ１と専用ＯＩ２との間をＴＣＰ／ＩＰケーブル５によって接続する。これにより、制御装置１００Ａを「専用ＯＩ有り」の構成、すなわち専用ＯＩ２を筐体３内に収容した構成とすることができる。
【００２１】
また、この制御装置１００Ａにおいて、専用ＯＩ２が不要である場合には、ＴＣＰ／ＩＰケーブル５を取り外すことによって、コントローラ１と専用ＯＩ２との間の接続を切り離す。これにより、制御装置１００Ａを「専用ＯＩ無し」の構成、すなわち専用ＯＩ２を筐体３内に収容しない構成とすることができる。
【００２２】
制御装置１００Ａを「専用ＯＩ無し」の構成とする場合、コントローラ１に残されるイーサネットインタフェース１１は、外部コンピュータとの接続に利用することができる（図２参照）。図２では、イーサネットインタフェース１１にネットワーク２００を介して遠隔監視装置３００を接続している。
【００２３】
このように、本実施の形態の制御装置１００Ａでは、「専用ＯＩ有り」の構成と「専用ＯＩ無し」の構成とを使用形態に応じて自由に選択することが可能となる。また、コントローラ１と専用ＯＩ２とが別構成となるため、専用ＯＩ無し（外部コンピュータによる監視のみ）の組み合わせでの販売も可能となる。
【００２４】
なお、この制御装置１００Ａにおいて、イーサネットインタフェース１１は、専用ＯＩ２のためにわざわざ設けたものではなく、図２に示した事例からも分かるように、外部コンピュータとの間の通信に用いるためのインタフェースを流用している。すなわち、コントローラ１に外部コンピュータを接続しない使用形態では、イーサネットインタフェース１１を専用ＯＩ２との間の通信に用いるためのインタフェースとして流用する。
【００２５】
〔実施の形態２〕
図３に本発明の実施の形態２に係る制御装置１００（１００Ｂ）の要部を示す。この制御装置１００Ｂでは、コントローラ１にイーサネットインタフェース１１と１２を設け、コントローラ１のイーサネットインタフェース１１と専用ＯＩ２のイーサネットインタフェース２１との間を、ＴＣＰ／ＩＰケーブル５によって着脱可能に接続し、コントローラ１のイーサネットインタフェース１２にネットワーク２００を介して遠隔監視装置３００を接続している。
【００２６】
この制御装置１００Ｂでは、専用ＯＩ２からも、遠隔監視装置３００からも、コントローラ１にする設定情報の入力や動作指示などを行うことが可能である。また、この制御装置１００Ｂにおいて、専用ＯＩ２が必要である場合には、コントローラ１と専用ＯＩ２との間をＴＣＰ／ＩＰケーブル５によって接続する。これによって、制御装置１００Ｂを「専用ＯＩ有り」の構成とすることができる。専用ＯＩ２が不要である場合には、ＴＣＰ／ＩＰケーブル５を取り外すことによって、コントローラ１と専用ＯＩ２との間の接続を切り離す。これによって、制御装置１００Ｂを「専用ＯＩ無し」の構成とすることができる。また、コントローラ１に残されたイーサネットインタフェース１１を、遠隔監視装置３００とは別の外部コンピュータとの接続に利用することもできる。
【００２７】
〔実施の形態３〕
図４に本発明の実施の形態３に係る制御装置１００（１００Ｃ）の要部を示す。この制御装置１００Ｃでは、コントローラ１にイーサネットインタフェース１１と１２を設け、専用ＯＩ２にイーサネットインタフェース２１と２２を設け、コントローラ１のイーサネットインタフェース１１と専用ＯＩ２のイーサネットインタフェース２１との間を、ＴＣＰ／ＩＰケーブル５によって着脱可能に接続している。
【００２８】
また、この制御装置１００Ｃでは、コントローラ１のイーサネットインタフェース１２にネットワーク２００を介して遠隔監視装置３００を接続し、専用ＯＩ２のイーサネットインタフェース２２にＷＡＮ（Wide Area Network）４００を介してクラウドコンピュータ５００を接続している。
【００２９】
また、この制御装置１００Ｃにおいて、コントローラ１のイーサネットインタフェース１１と１２との間は、イーサネットインタフェース１３を介して渡り配線（例えば、特許文献２参照）によって接続されている。また、専用ＯＩ２のイーサネットインタフェース２１と２２との間も、イーサネットインタフェース２３を介して渡り配線によって接続されている。これにより、クラウドコンピュータ５００側（ＷＡＮ４００側）、遠隔監視装置３００側（ネットワーク２００側）のどちらでも、専用ＯＩ２およびコントローラ１の両方と通信することができる。
【００３０】
この制御装置１００Ｃにおいて、専用ＯＩ２が必要である場合には、コントローラ１と専用ＯＩ２との間をＴＣＰ／ＩＰケーブル５によって接続する。これによって、制御装置１００Ｃを「専用ＯＩ有り」の構成とすることができる。専用ＯＩ２が不要である場合には、ＴＣＰ／ＩＰケーブル５を取り外すことによって、コントローラ１と専用ＯＩ２との間の接続を切り離す。これによって、制御装置１００Ｃを「専用ＯＩ無し」の構成とすることができる。
【００３１】
なお、図４に示した例において、専用ＯＩ２無しの構成とする場合、図５に示すように、コントローラ１に残されるイーサネットインタフェース１１を、クラウドコンピュータ５００との接続用のインタフェースとして用いることができる。
【００３２】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００３３】
１…コントローラ、２…専用ＯＩ、３筐体（制御盤）、５…ＴＣＰ／ＩＰケーブル、１１，１２，１３，２１，２２，２３…イーサネットインタフェース、１００（１００Ａ〜１００Ｃ）…制御装置、２００…ネットワーク、３００…遠隔監視装置、４００…ＷＡＮ、５００…クラウドコンピュータ。
【図１】
2019175082.tif 000003
【図２】
2019175082.tif 000004
【図３】
2019175082.tif 000005
【図４】
2019175082.tif 000006
【図５】
2019175082.tif 000007
【図６】
2019175082.tif 000008
【図７】
2019175082.tif 000009